(57)【要約】【課題】電界急変検出による時定数短縮機能を備えるＡＧＣシステムと瞬断方式のノイズキャンセラとを使用しても、ノイズキャンセラの動作で異音が発生することを防止可能にする。【解決手段】ノイズキャンセラ４０は、受信信号処理系に入力される受信信号中からパルス状のノイズ成分を検出し、ノイズ成分が検出されると、受信信号の後段側への伝達を瞬時に遮断させる。ノイズキャンセラ４０が動作して、ＯＳＭ４２がスイッチ４４をＯＦＦにする電圧を出力しているときに、この電圧を制御ライン４５を介して電界急変検出回路２１の機能ＯＮ／ＯＦＦスイッチ２２にも与える。パルス性ノイズの検出で機能ＯＮ／ＯＦＦスイッチ２２がＯＦＦになると、電界急変検出による時定数の短縮は停止される。【選択図】      図１
2004363945.tif 000002
【特許請求の範囲】
【請求項１】
受信信号処理系の途中での増幅利得を受信信号の出力レベルに応じて自動制御し、受信電界の急変に相当する受信信号の出力レベルの急変を検出すると、自動制御の時定数を短縮するＡＧＣシステムを備える受信装置において、
受信信号処理系に入力される受信信号中からパルス状のノイズ成分を検出し、ノイズ成分が検出されると、受信信号の後段側への伝達を瞬時に遮断させるノイズキャンセラと、
ノイズキャンセラによる受信信号の伝達遮断時に、電界急変検出に基づくＡＧＣシステムの時定数短縮を抑制する時定数短縮抑制手段とを含むことを特徴とする受信装置。
【請求項２】
前記時定数短縮抑制手段は、受信周波数を変化させて受信信号を変更する動作が行われる場合に、受信信号変更動作を優先させ、前記ノイズキャンセラによる受信信号の伝達遮断時の時定数短縮抑制を行わないことを特徴とする請求項１記載の受信装置。
【請求項３】
前記受信信号変更動作として、受信周波数を変化させて受信可能な受信信号を探すシーク動作が可能なシーク制御手段をさらに含むことを特徴とする請求項２記載の受信装置。
【請求項４】
受信信号の受信電界の強度を、予め設定される基準に基づいて、中・強電界または無・弱電界のいずれであるか判定する受信電界判定手段をさらに含み、
前記時定数短縮制御手段は、受信電界判定手段の判定結果に応答し、前記ノイズキャンセラによる受信信号の伝達遮断時の時定数短縮抑制を、受信電界強度が中・強電界と判定されるときに行い、受信電界強度が無・弱電界と判定されるときには行わないことを特徴とする請求項１記載の受信装置。
【請求項５】
前記受信信号処理系は、受信信号の入力レベルに対応してＳメータ電圧を出力し、
前記受信電界判定手段は、Ｓメータ電圧を、前記受信電界の強度として判定することを特徴とする請求項４記載の受信装置。
【請求項６】
前記受信信号処理系は、受信信号を中間周波数に周波数変換して増幅し、
前記ＡＧＣシステムは、中間周波数信号の増幅器にＡＧＣ電圧を与えて増幅利得を自動制御し、
前記受信電界判定手段は、該ＡＧＣ電圧を、前記受信電界の強度として判定することを特徴とする請求項４記載の受信装置。
【請求項７】
前記ノイズキャンセラは、前記受信信号中からパルス状のノイズを検出するための増幅器と、該増幅器の増幅利得を自動制御するＡＧＣ機能とを備え、
前記受信電界判定手段は、該ＡＧＣ機能の制御電圧を、前記受信電界の強度として判定することを特徴とする請求項４記載の受信装置。
【請求項８】
前記受信電界判定手段で受信電界の強度を判定する基準を、入力操作に基づいて設定可能な基準設定手段をさらに含むことを特徴とする請求項４〜７のいずれかに記載の受信装置。
【請求項９】
前記時定数短縮制御手段が前記ノイズキャンセラによる受信信号の伝達遮断時に前記時定数短縮抑制を行う条件を、入力操作に基づいて設定可能な条件設定手段をさらに含むことを特徴とする請求項１〜８のいずれかに記載の受信装置。
【発明の詳細な説明】
【０００１】
【発明の属する技術分野】
本発明は、受信電界の急変時に時定数を変えるＡＧＣ（Ａｕｔｏｍａｔｉｃ  Ｇａｉｎ  Ｃｏｎｔｒｏｌ）システムを備える受信装置に関する。
【０００２】
【従来の技術】
従来から、無線電波を受信する受信装置には、受信電界強度に応じて受信信号を増幅する利得を調整し、受信信号の出力レベルの変動を抑制するＡＧＣシステムが備えられている。ただし、受信信号の振幅の変化のような出力レベルの短期的な変動は、振幅変調方式の受信信号によって伝達される情報を表すので、一般的なＡＧＣシステムでは、制御に時定数を持たせ、情報伝達のための出力レベル変動までは抑制しないようにしている。被変調波に振幅成分を有しない第１の変調方式と、被変調波に振幅成分を有する第２の変調方式とを選択的に使用して無線通信を行う無線通信装置で、第１の変調方式の受信信号に基づいて受信電界強度を検出し、検出された受信電界強度に従って第２の変調方式の受信信号に対する増幅利得を制御することも提案されている（たとえば、特許文献１参照）。
【０００３】
ＡＧＣシステムの時定数が小さいと、受信信号の歪率などの音質悪化が発生する。時定数が大きいと、入力信号レベルの急変時にフィードバック制御を行うＡＧＣループが安定するまでに時間を要して、受信信号のレベルが変動して音質が悪化する。たとえば自動車に搭載されて放送局の電波を走行しながら受信する受信装置では、トンネルを抜けた瞬間に同調していた放送局の電波が強い電界で受信され、高い増幅利得の状態から適切な増幅利得の状態までＡＧＣループが収束するまでに時間を要し、音質が悪化してしまう。そこで、電界が弱レベルから強レベルに急変動した場合には、ＡＧＣの時定数を短くして、ＡＧＣループが安定するまでの収束時間を短くし、音質悪化を防ぐことが提案されている（たとえば、特許文献２参照）。
【０００４】
【特許文献１】
特許第３９７８９４７号公報
【特許文献２】
特開平５−１９９１３７号公報
【特許文献３】
【０００５】
【発明が解決しようとする課題】
放送局からの放送電波や、無線通信の通信電波などを受信する際には、電波が伝搬する空間で発生する放電などでパルス性のノイズが受信信号に混入することがある。自動車の車両に搭載される受信装置では、自車や他車のエンジンの点火装置から発生するイグニッションノイズがパルス性のノイズとして受信信号に混入することもある。さらに、パッシング操作やブレーキ操作で、ランプのＯＮ／ＯＦＦが行われると、電流変化によるパルス性ノイズ発生の可能性がある。パルス性のノイズは不規則かつ短時間に発生する。受信装置のＡＧＣシステムでは、パルス性のノイズに追従して瞬間的に受信処理系の増幅利得を変化させることはできず、ノイズ混入で受信信号の音質が低下してしまう。
【０００６】
パルス性ノイズの混入による受信信号の音質低下を防ぐために、パルス性ノイズを除去するノイズキャンセラが用いられる。ノイズキャンセラは、パルス性ノイズを検出すると、受信信号の処理を瞬時的に遮断し、受信信号として出力される成分に、パルス性のノイズが含まれないようにすることができる。
【０００７】
しかしながら、電界急変検出による時定数の短縮機能を有するＡＧＣシステムと瞬断方式のノイズキャンセラとを組合わせて用いると、ノイズキャンセラの動作時に、ＡＧＣシステムが電界急変と誤検知するおそれがある。ノイズキャンセラがパルス性ノイズを検出すると、受信信号の処理が瞬時的に遮断され、ＡＧＣシステムを動作させる受信信号の出力レベルも急激に低下する。ＡＧＣシステムにとって、受信信号の出力レベルの急激な低下は、受信信号の電界強度の急激な低下と同様な現象であるので、時定数を短くする動作が行われる。
【０００８】
図１１は、瞬断方式のノイズキャンセラを備える受信装置で、パルス性ノイズによる瞬断時の主要部分の出力波形を示す。なお、この受信装置は中間周波数への変換を２回行うダブルスーパヘテロダイン方式であり、ＡＧＣのための増幅利得制御は、主として２回目の周波数変換の後で行うように構成されているものとする。
【０００９】
図１１（ａ）は、１回目の周波数変換を行う第１混合器ＭＩＸ１からの出力波形を示す。ノイズキャンセラによるパルス性ノイズの検出は、この第１混合器ＭＩＸ１からの出力に基づいて行われる。ノイズキャンセラは、時刻ｔ０でパルス性ノイズが検出されると、瞬時に受信信号の処理系を遮断し、時刻ｔ１までの一定時間、処理系の遮断を続けた後、時刻ｔ１以降では処理を再開させる。
【００１０】
図１１（ｂ）および（ｃ）は、２回目の周波数変換を行う第２混合器ＩＸ２からの出力波形とこの出力を増幅する中間周波増幅器ＩＦ２からの出力波形とを、それぞれ示す。時刻ｔ０から時刻ｔ１までの間、出力電圧は低レベルであり、時刻ｔ１を過ぎると急激に出力電圧のレベルが上昇して、ＡＧＣシステムは受信電界強度が低レベルから高レベルに急変したものとして誤検出し、ＡＦＣ制御の時定数を短くしてしまう。このため、時刻ｔ１以降の第２混合器からの出力電圧や中間周波増幅器からの出力電圧のレベル変動が大きくなってしまう。
【００１１】
図１２は、電界急変検出による時定数短縮機能付ＡＧＣシステムの各部の動作波形を示す。図１２（ａ）は、２回目の周波数変換後の中間周波増幅器用のＡＧＣ電圧ＩＦ−ＡＧＣの変化を示す。図１２（ｂ）は、検波出力電圧ＤＥＴの変化を示す。図１２（ｃ）は、第２混合器ＭＩＸ２からの出力電圧が入力される中間周波増幅器へのＡＧＣ電圧ＭＩＸ２−ＡＧＣの変化を、それぞれ示す。各動作波形で示されるように、時刻ｔ１を過ぎても電圧は安定しない。特に第２混合器ＭＩＸ２からの出力電圧は時刻ｔ１以降に盛り上がり検波出力電圧ＤＥＴはこの変化に対応して、大きく変動する。このような時刻ｔ１以降の変化は、「ボツ」というような異音となり、受信信号の再生音中に混じると音質を低下させてしまう。
【００１２】
本発明の目的は、電界急変検出による時定数短縮機能を備えるＡＧＣシステムと瞬断方式のノイズキャンセラとを使用しても、ノイズキャンセラの動作で異音が発生することを防止可能な受信装置を提供することである。
【００１３】
【課題を解決するための手段】
本発明は、受信信号処理系の途中での増幅利得を受信信号の出力レベルに応じて自動制御し、受信電界の急変に相当する受信信号の出力レベルの急変を検出すると、自動制御の時定数を短縮するＡＧＣシステムを備える受信装置において、
受信信号処理系に入力される受信信号中からパルス状のノイズ成分を検出し、ノイズ成分が検出されると、受信信号の後段側への伝達を瞬時に遮断させるノイズキャンセラと、
ノイズキャンセラによる受信信号の伝達遮断時に、電界急変検出に基づくＡＧＣシステムの時定数短縮を抑制する時定数短縮抑制手段とを含むことを特徴とする受信装置である。
【００１４】
本発明に従えば、受信信号処理系の途中での増幅利得を受信信号の出力レベルに応じて自動制御し、受信電界の急変に相当する受信信号の出力レベルの急変を検出すると、自動制御の時定数を短縮するＡＧＣシステムを備える受信装置は、ノイズキャンセラと時定数短縮抑制手段とを含む。ノイズキャンセラは、受信信号処理系に入力される受信信号中からパルス状のノイズ成分を検出し、ノイズ成分が検出されると、受信信号の後段側への伝達を瞬時に遮断させるので、受信信号を検波して音響再生する出力中にはパルス性ノイズが含まれず、音質低下を避けることができる。時定数短縮抑制手段は、ノイズキャンセラによる受信信号の伝達遮断時に、電界急変検出に基づくＡＧＣシステムの時定数短縮を抑制するので、ＡＧＣシステムが受信信号の伝達遮断による受信信号の欠落を電界急変として検出しても、時定数の短縮は行われず、受信信号の伝達の再開時にＡＧＣループが変動して異音が発生するのを防止することができる。
【００１５】
また本発明で、前記時定数短縮抑制手段は、受信周波数を変化させて受信信号を変更する動作が行われる場合に、受信信号変更動作を優先させ、前記ノイズキャンセラによる受信信号の伝達遮断時の時定数短縮抑制を行わないことを特徴とする。
【００１６】
本発明に従えば、受信周波数を変化させて受信信号を変更する動作が行われる場合に、受信信号変更動作を優先させるので、受信条件が変動して受信信号の電界強度などが変動しても、ＡＧＣシステムで受信信号の出力変動が少なくなるように調整することができる。受信周波数の変化に伴って受信信号の電界強度が急変するときには、ＡＧＣ制御の時定数を短縮するので、変動に対する追従性を良好にして、音質の低下を避けることができる。パルス性のノイズが受信信号に混入すると瞬断式のノイズキャンセラが受信信号の伝達を遮断し、伝達再開時にＡＧＣ制御の時定数が短くなっていることに起因する異音が発生する可能性があるけれども、受信信号の変更時であり、異音による音質の低下はあまり目立たないようにすることができる。
【００１７】
また本発明は、前記受信信号変更動作として、受信周波数を変化させて受信可能な受信信号を探すシーク動作が可能なシーク制御手段をさらに含むことを特徴とする。
【００１８】
本発明に従えば、シーク制御手段が受信周波数を変化させて受信可能な受信信号を探すシーク動作を行う際には、ＡＧＣの時定数の切換が必要となるので、瞬断式のノイズキャンセラが動作しても、時定数の短縮を抑制しないようにすることができる。
【００１９】
また本発明は、受信信号の受信電界の強度を、予め設定される基準に基づいて、中・強電界または無・弱電界のいずれであるか判定する受信電界判定手段をさらに含み、
前記時定数短縮制御手段は、受信電界判定手段の判定結果に応答し、前記ノイズキャンセラによる受信信号の伝達遮断時の時定数短縮抑制を、受信電界強度が中・強電界と判定されるときに行い、受信電界強度が無・弱電界と判定されるときには行わないことを特徴とする。
【００２０】
本発明に従えば、受信信号の受信電界強度が弱い無・弱電界では、ノイズキャンセラによる瞬断が生じても振幅変化が小さく、ＡＧＣシステムの電界急変検出機能は動作しないので、時定数短縮の機能を抑制する必要はない。受信信号の受信電界強度が強い中・強電界では、ノイズキャンセラによる瞬断時の振幅変化が大きくなるので、時定数短縮の機能を抑制し、電界急変の誤検出による異音発生を避けることができる。
【００２１】
また本発明で、前記受信信号処理系は、受信信号の入力レベルに対応してＳメータ電圧を出力し、
前記受信電界判定手段は、Ｓメータ電圧を、前記受信電界の強度として判定することを特徴とする。
【００２２】
本発明に従えば、受信電界判定手段は、受信電界の強度を受信信号処理系から出力されるＳメータ電圧に基づいて判定するので、Ｓメータ電圧に従う適応制御を行うことができる。
【００２３】
また本発明で、前記受信信号処理系は、受信信号を中間周波数に周波数変換して増幅し、
前記ＡＧＣシステムは、中間周波数信号の増幅器にＡＧＣ電圧を与えて増幅利得を自動制御し、
前記受信電界判定手段は、該ＡＧＣ電圧を、前記受信電界の強度として判定することを特徴とする。
【００２４】
本発明に従えば、ＡＧＣシステムは、受信信号処理系で受信信号を中間周波数に周波数変換して増幅する増幅器にＡＧＣ電圧を与えて増幅利得を制御するので、一定の中間周波数に対する増幅で、広い増幅利得の範囲で安定な制御を行うことができる。受信電界判定手段は、広い増幅利得の範囲での制御に使用するＡＧＣ電圧に基づいて受信電界の強度を判定するので、ＡＧＣ電圧に従う適応制御を行うことができる。
【００２５】
また本発明で、前記ノイズキャンセラは、前記受信信号中からパルス状のノイズを検出するための増幅器と、該増幅器の増幅利得を自動制御するＡＧＣ機能とを備え、
前記受信電界判定手段は、該ＡＧＣ機能の制御電圧を、前記受信電界の強度として判定することを特徴とする。
【００２６】
本発明に従えば、ノイズキャンセラが受信信号中からパルス状のノイズを検出するために受信信号を増幅する増幅器をＡＧＣ制御するためのＡＧＣ機能の制御電圧を、受信電界判定手段は受信電界の強度として判定するので、受信信号として受信される信号に近い状態で受信電界強度を判定し、受信電界による適応制御を行うことができる。
【００２７】
また本発明は、前記受信電界判定手段で受信電界の強度を判定する基準を、入力操作に基づいて設定可能な基準設定手段をさらに含むことを特徴とする。
【００２８】
本発明に従えば、受信電界判定手段で受信電界の強度を無・弱電界と判定するか中・強電界と判定するかの基準を、基準設定手段への入力操作に基づいて設定可能であるので、受信装置のユーザ等の好みに合わせて基準を設定することができる。
【００２９】
また本発明は、前記時定数短縮制御手段が前記ノイズキャンセラによる受信信号の伝達遮断時に前記時定数短縮抑制を行う条件を、入力操作に基づいて設定可能な条件設定手段をさらに含むことを特徴とする。
【００３０】
本発明に従えば、受信装置のユーザ等が入力操作で条件設定手段に、時定数短縮制御手段がノイズキャンセラによる受信信号の伝達遮断時に時定数短縮抑制を行う条件を設定すれば、時定数短縮制御手段は、条件設定手段に設定されている条件で時定数短縮抑制を行うか否かを判定することができる。
【００３１】
【発明の実施の形態】
図１は、本発明の実施の第１形態としての受信装置１の概略的な電気的構成を示す。受信装置１は、アンテナ２に入力される高周波の受信信号を、ＲＦ３で高周波増幅し、第１ＭＩＸ４で１回目の周波数変換を行う。周波数変換は２回行われ、ダブルスーパヘテロダイン方式の受信を行う。第１ＭＩＸ４で周波数変換された第１中間周波数の受信信号は、中間周波トランスである第１ＩＦＴ５および第１フィルタ６で選択し、第１ＩＦ増幅器７で増幅する。第１ＩＦ増幅器７にはバイパス用のコンデンサ８などが設けられる。受信周波数の変更は、図示を省略している局部発振器から第１ＭＩＸ４に与える局部発振周波数を変えて行うことができる。第１ＩＦ増幅器７の出力は、第２ＭＩＸ９で第２中間周波数に変換される。第２中間周波数は比較的低い周波数であり、第２中間周波数に変換された受信信号は、電圧制御増幅器であるＶＣＡ１０で増幅し、第２ＩＦＴ１１および第２フィルタ１２で帯域選択して、第２ＩＦ増幅器１３で増幅する。第２ＩＦ増幅器１３の出力を検波器であるＤＥＴ１４で検波し、コンデンサ１５を介して受信信号から復調される低周波信号を取出す。第２ＭＩＸ９で周波数変換を行うために、局部発振器１６から、第１中間周波数と第２中間周波数との和または差の周波数の局部発振信号を第２ＭＩＸ９に与える。
【００３２】
受信装置１には、ＡＧＣシステム２０も備えられる。ＡＧＣシステム２０は、電界急変検出回路２１、機能ＯＮ／ＯＦＦスイッチ２２、抵抗２３，２４、コンデンサ２５、スイッチ２６、ＡＧＣ電圧アンプ２７、ＡＧＣ電流アンプ２８、停電流源２９，３０、スイッチ３１，３２、抵抗３３，３４、およびコンデンサ３５を含む。電界急変検出回路２１は、ＤＥＴ１４からの出力電圧に基づいて、受信信号の電界強度が急変しているか否かを検出する。機能ＯＮ／ＯＦＦスイッチ２２は、電界急変検出回路２１の機能のＯＮ／ＯＦＦ切換を行う電子的なスイッチである。抵抗２３，２４およびコンデンサ２５は、ＡＧＣ動作の時定数を決定する。時定数は、コンデンサ２５の容量値と、抵抗２３，２４の合成抵抗値との積によって決定される。電界急変検出回路２１がスイッチ２６をＯＮに制御すると、抵抗２３，２４は並列に接続され、合成抵抗値は低下し、時定数は小さくなる。電界急変検出回路２１がスイッチ２６をＯＦＦに制御すると、抵抗２３のみがコンデンサ２５に接続されて時定数が大きくなる。
【００３３】
コンデンサ２５には、抵抗２３単独、または抵抗２３，２４の合成抵抗を介して、ＤＥＴ１４からの検波出力が与えられる。コンデンサ２５は、検波出力に関して積分コンデンサとして動作し、コンデンサ２５に発生する電圧変化は、検波出力の変化よりも遅れる。電界急変検出回路２１は、ＤＥＴ１４からの検波出力とコンデンサ２５に発生する電圧とを比較する。ＤＥＴ１４からの検波出力が急変すると、コンデンサ２５に発生する電圧との間に差電圧が発生するので、電界急変として検出することができる。
【００３４】
コンデンサ２５に発生する電圧は、ＡＧＣ電圧アンプ２７によって増幅され、第２ＩＦ増幅器１３の増幅利得を制御するＡＧＣ電圧信号となる。また、コンデンサ２５に発生するＡＧＣ電圧は、ＡＧＣ電流アンプ２８によって電流増幅される。スイッチ２９は、電界急変検出回路２１からの出力でＯＮ／ＯＦＦが制御され、ＯＮになると抵抗３０をバイパスさせる。抵抗３０は、抵抗３１に直列に接続され、コンデンサ３２と時定数回路を構成する。時定数回路は、ＡＧＣ電流アンプ２８によって充電され、充電電圧がＶＣＡ１０の増幅利得を制御するＡＧＣ電圧信号となる。スイッチ２９がＯＮになると、抵抗３１の抵抗値とコンデンサ３２の容量値との積が時定数となる。スイッチ２９がＯＦＦになると、抵抗３０，３１の抵抗値の和とコンデンサ３２の容量値との積が時定数となる。すなわち、電界急変検出回路２１による電界急変検出時は、スイッチ２９がＯＮになって、時定数が短くなる。
【００３５】
受信装置１には、パルス性のノイズを除去するノイズキャンセラ４０も備えられる。ノイズキャンセラ４０は、検出アンプ４１、検出回路４２、ＯＳＭ（Ｏｎｅ  Ｓｈｏｔ  Ｍｕｌｔｉｖｉｂｒａｔｏｒ）４３およびスイッチ４４を含む。パルス性ノイズの検出は、受信信号の処理系とは別系統で行う。受信信号の処理系では、セラミックフィルタなどで構成する第１フィルタ６や第２フィルタ１２が使用され、パルス性の受信信号は波形がなまるからである。検出アンプ４１は、受信信号の処理系のできるだけ前段側、たとえば第１ＭＩＸ４の出力を増幅して、パルス性のノイズを検出回路４２で検出する。
【００３６】
検出回路４２がパルス性のノイズを検出すると、ＯＳＭ４３が起動されて単安定動作、すなわち一定のパルス幅、たとえば１０μ秒の期間、一定の論理レベルの出力を導出する。この出力は、スイッチ４４をＯＦＦにして、局部発振器１６から第２ＭＩＸ９に与える局部発振信号を遮断する。局部発振信号が遮断されると、第２ＭＩＸ９は第１フィルタ６を介して入力される第１中間周波数の受信信号を第２中間周波数に周波数変換することができなくなり、受信信号は処理系での伝達が遮断される。ＯＳＭ４３から出力されるパルス信号のパルス幅によって規定される時間が経過すると、スイッチ４４はＯＦＦとなり、局部発振信号が第２ＭＩＸ９に与えられるようになって、第１中間周波数から第２中間周波数への周波数変換の機能が復活し、受信信号の処理系での伝達の遮断が解除される。
【００３７】
受信装置１では、ノイズキャンセラ４０が動作して、ＯＳＭ４２がスイッチ４４をＯＦＦにする電圧を出力しているときに、この電圧を制御ライン４５を介して電界急変検出回路２１の機能ＯＮ／ＯＦＦスイッチ２２にも与える。機能ＯＮ／ＯＦＦスイッチ２２は、ノイズキャンセラ４０のスイッチ４４と同様にＯＮ／ＯＦＦが制御され、パルス性ノイズの検出でＯＦＦに制御される。機能ＯＮ／ＯＦＦスイッチ２２がＯＦＦになると、電界急変検出による時定数の短縮は停止される。すなわち、ノイズキャンセラ４０は、受信信号処理系に入力される受信信号中からパルス状のノイズ成分を検出し、ノイズ成分が検出されると、受信信号の後段側への伝達を瞬時に遮断させる。制御ライン４５は、ノイズキャンセラ４０による受信信号の伝達遮断時に、電界急変検出に基づくＡＧＣシステム２０の時定数短縮を抑制する時定数短縮抑制手段として機能する。
【００３８】
ＡＧＣシステム２０は、受信信号の出力レベルに応じて受信処理系の増幅利得を自動制御し、受信電界の急変に相当する受信信号の出力レベルの急変を検出すると、自動制御の時定数を短縮する。ノイズキャンセラ４０は、受信信号処理系に入力される受信信号中からパルス状のノイズ成分を検出し、ノイズ成分が検出されると、受信信号の後段側への伝達を瞬時に遮断させるので、受信信号を検波して音響再生する出力中にはパルス性ノイズが含まれず、音質低下を避けることができる。時定数短縮抑制手段としての制御ライン４５は、ノイズキャンセラ４０による受信信号の伝達遮断時に、電界急変検出に基づくＡＧＣシステム２０の時定数短縮を抑制するので、ＡＧＣシステム２０が受信信号の伝達遮断による受信信号の欠落を電界急変として検出しても、時定数の短縮は行われず、受信信号の伝達の再開時にＡＧＣループが変動して異音が発生するのを防止することができる。
【００３９】
図２は、本発明の実施の第２形態としての受信装置５１の概略的な電気的構成を示す。本実施の形態で、図１の実施形態に対応する部分には同一の参照符を付し、重複する説明を省略する。受信装置５１は、ＣＰＵ５２を含み、受信周波数を変化させて受信信号を探すシーク動作が可能である。ＣＰＵ５２によってＯＮ／ＯＦＦが制御されるスイッチ５３が時定数短縮抑制手段としての制御ライン５５に設けられる。ＣＰＵ５２によってシーク動作が行われるときは、スイッチ５３がＯＦＦに制御され、ノイズキャンセラ４０の動作によるＡＧＣシステム４０の電界急変検出による時定数短縮動作の抑制は行われない。
【００４０】
すなわち、受信装置５１は、受信周波数を変化させて受信可能な受信信号を探すシーク動作を可能にするシーク制御手段としてのＣＰＵ５２をさらに含む。ＣＰＵ５２が受信周波数を変化させて受信可能な受信信号を探すシーク動作を行う際には、ＡＧＣの時定数の切換が必要となるので、瞬断式のノイズキャンセラ４０が動作しても、時定数の短縮を抑制しないようにすることができる。
【００４１】
本実施形態のような考え方は、シーク動作ばかりではなく、ユーザの手動操作やプリセットの切換操作などで、受信周波数を変化させて受信信号を変更する動作が行われる場合に、受信信号変更動作を優先させ、ノイズキャンセラ４０による受信信号の伝達遮断時の時定数短縮抑制を行わないようにすることにも適用かのうである。受信周波数を変化させて受信信号を変更する動作が行われる場合に、受信信号変更動作を優先させるので、受信条件が変動して受信信号の電界強度などが変動しても、ＡＧＣシステムで受信信号の出力変動が少なくなるように調整することができる。受信周波数の変化に伴って受信信号の電界強度が急変するときには、ＡＧＣ制御の時定数を短縮するので、変動に対する追従性を良好にして、音質の低下を避けることができる。パルス性のノイズが受信信号に混入すると瞬断式のノイズキャンセラ４０が受信信号の伝達を遮断し、伝達再開時にＡＧＣ制御の時定数が短くなっていることに起因する異音が発生する可能性があるけれども、受信信号の変更時であり、異音による音質の低下はあまり目立たないようにすることができる。
【００４２】
図３は、本発明の実施の第３形態としての受信装置６１の概略的な電気的構成を示す。本実施の形態で、図１または図２の実施の形態に対応する部分には同一の参照符を付して、重複する説明を省略する。受信装置６１には、受信信号の電界強度に対応するＳメータ電圧をＦＳＤ６２で検出して出力する機能が備えられる。ＦＳＤ６２から出力されるＳメータ電圧は、比較器６３で基準電圧源６４に予め設定される基準電圧と比較され、Ｓメータ電圧が基準電圧よりも高くなるとスイッチ５３がＯＦＦとなるように制御する。比較器６３は、受信信号の受信電界の強度を、予め設定される基準に基づいて、中・強電界または無・弱電界のいずれであるか判定する受信電界判定手段として機能する。スイッチ５３は、時定数短縮制御手段として、受信電界判定手段である比較器６３の判定結果に応答し、ノイズキャンセラ４０による受信信号の伝達遮断時の時定数短縮抑制を、受信電界強度が中・強電界と判定されるときにスイッチ５３をＯＮに制御して行い、受信電界強度が無・弱電界と判定されるときには行わないような、適応制御を行うことができる。
【００４３】
図４は、図３のＦＳＤ６２の入出力特性を示す。たとえば受信電界レベルが１０ｄＢμＶＥＭＦより低い範囲を無電界、１０〜３０ｄＢμＶＥＭＦの範囲を弱電界、３０〜６０ｄＢμＶＥＭＦの範囲を中電界、６０ｄＢμＶＥＭＦよりも高い範囲を強電界として、基準電源６４の基準電圧は、３０ｄＢμＶＥＭＦに対応するＳメータ電圧２Ｖ程度に設定する。受信信号の受信電界強度が弱い無・弱電界では、ノイズキャンセラ４０による瞬断が生じても振幅変化が小さく、ＡＧＣシステム２０の電界急変検出機能は動作しないので、時定数短縮の機能を抑制する必要はない。受信信号の受信電界強度が強い中・強電界では、ノイズキャンセラ４０による瞬断時の振幅変化が大きくなるので、時定数短縮の機能を抑制し、電界急変の誤検出による異音発生を避けることができる。
【００４４】
また受信装置６１の受信信号処理系は、受信信号の入力レベルに対応してＳメータ電圧を出力し、Ｓメータ電圧を、前記受信電界の強度として判定する。受信電界の強度を受信信号処理系から出力されるＳメータ電圧に基づいて判定するので、Ｓメータ電圧に従う適応制御を行うことができる。
【００４５】
図５は、本発明の実施の第４形態としての受信装置７１の概略的な電気的構成を示す。本実施の形態で、図１〜図３の実施の形態に対応する部分には同一の参照符を付して、重複する説明を省略する。受信装置７１では、比較器７３および基準電圧源７４を設ける。比較器７３には、▲１▼で示すように、ＶＣＡ１０を制御するＡＧＣ電圧信号が入力される。このＡＧＣ電圧信号は、受信信号の電界強度に対応して変化するので、図３のＳメータ電圧と同様に、電界強度に応じた適応制御に利用することができる。
【００４６】
図６は、図５のＡＧＣシステム２０で、第２中間周波数の受信信号を増幅するＶＣＡ１０と第２ＩＦ増幅器１３とに与えるＡＧＣ電圧信号の受信電界強度に対する変化を示す。実線が図５で▲１▼として示すＶＣＡ１０のＡＧＣ電圧信号であり、点線が第２ＩＦ増幅器１３のＡＧＣ電圧信号である。
【００４７】
図７は、本発明の実施の第５形態としての受信装置８１の概略的な電気的構成を示す。本実施の形態で、図１〜図３、および図５の実施の形態に対応する部分には同一の参照符を付して、重複する説明を省略する。受信装置８１では、比較器８３および基準電圧源８４を設ける。比較器８３には、▲１▼で示すように、ＡＧＣ電圧アンプ２７から出力され、第２ＩＦ増幅器１３を制御するＡＧＣ電圧信号が入力される。このＡＧＣ電圧も、図６で点線で示すように、受信電界強度に対応して変化するので、図５の実施形態と同様に利用することができる。
【００４８】
すなわち、図５および図７の実施形態の受信信号処理系は、受信信号を中間周波数に周波数変換して増幅し、ＡＧＣシステム２０は、中間周波数信号の増幅器であるＶＣＡ１０や第２ＩＦ増幅器１３にＡＧＣ電圧信号を与えて増幅利得を自動制御する。受信電界判定手段である比較器７３，８３は、そのＡＧＣ電圧信号を、基準電圧源６４，７４に予め設定される基準電圧と比較し、受信電界の強度として判定する。ＡＧＣシステム２０は、受信信号処理系で受信信号を中間周波数に周波数変換して増幅する増幅器にＡＧＣ電圧を与えて増幅利得を制御するので、一定の中間周波数に対する増幅で、広い増幅利得の範囲で安定な制御を行うことができる。受信電界判定手段は、広い増幅利得の範囲での制御に使用するＡＧＣ電圧に基づいて受信電界の強度を判定するので、ＡＧＣ電圧に従う適応制御を行うことができる。
【００４９】
図８は、本発明の実施の第６形態としての受信装置９１の概略的な電気的構成を示す。本実施の形態で、図１〜図３、図５および図７の実施の形態に対応する部分には同一の参照符を付して、重複する説明を省略する。受信装置９１のノイズキャンセラ１００は、受信信号中からパルス状のノイズを検出するための増幅器である検出系ＡＭＰ１０１と、その検出系ＡＭＰ１０１の増幅利得を自動制御するＡＧＣ回路１０２とを備える。受信電界判定手段としては、比較器１０３が設けられ、ＡＧＣ回路１０２から出力されるＡＧＣ機能の制御電圧を、基準電圧源１０４に設定される基準電圧と比較し、受信電界の強度として判定する。
【００５０】
ノイズキャンセラ１００は、第１ＭＩＸ４からの出力を検出系ＡＭＰ１０１で増幅するので、ノイズキャンセラ１００が受信信号中からパルス状のノイズを検出するために受信信号を増幅する増幅器をＡＧＣ制御するためのＡＧＣ機能の制御電圧を、受信電界の強度として判定するので、受信信号として受信される信号に近い状態で受信電界強度を判定し、受信電界による適応制御を行うことができる。
【００５１】
図９は、ノイズキャンセラ１００への入力電圧ＶｉｎとＡＧＣ回路１０２から出力されるＡＧＣ電圧との関係を示す。入力電圧Ｖｉｎは、受信電界強度に対応していると考えられ、このＡＧＣ電圧信号でも、図５や図７の実施形態と同様の適応制御が可能であることが判る。
【００５２】
図１０は、本発明の実施の第７形態としての受信装置１１１の概略的な電気的構成を示す。本実施の形態で、図１〜図３、図５、図７および図８の実施の形態に対応する部分には同一の参照符を付して、重複する説明を省略する。受信装置１１１では、比較器１１３を受信電界判定手段として、受信電界の強度を判定する基準を、入力操作に基づいて▲１▼，▲２▼，▲３▼，▲４▼のうちのどれかを選択し、また基準電圧源１１４の基準電圧も入力操作に基づいて設定することを可能にしている。▲１▼は、図３の実施形態と同様なＳメータ電圧である。▲２▼は、図５の実施形態と同様なＡＧＣ電圧である。▲３▼は、図７の実施形態と同様なＡＧＣ電圧である。▲４▼は、図８の実施形態と同様なＡＧＣ電圧である。スイッチ１１５は、比較器１０３からの出力で、制御ライン５５に設けるスイッチ１１６をＯＮ／ＯＦＦ制御する機能についてのＯＮ／ＯＦＦスイッチとなる。図２の実施形態と同様に、サーチ動作を制御するＣＰＵ５２も設けられ、その機能を優先して制御ライン５５に設けるスイッチ５３をＯＮ／ＯＦＦする機能も、スイッチ１１７への設定操作で、ＯＮ／ＯＦＦを切換えることができる。また、受信装置１１１では、受信電界判定手段である比較器１０３で受信電界の強度を無・弱電界と判定するか中・強電界と判定するかの基準を、基準設定手段である基準電圧源１０４への入力操作に基づいて設定可能であるので、受信装置１１１のユーザ等の好みに合わせて基準を設定することができる。さらに、時定数短縮制御手段であるスイッチ５２やスイッチ１１６がノイズキャンセラ１００による受信信号の伝達遮断時に時定数短縮抑制を行う条件を、入力操作に基づいて▲１▼，▲２▼，▲３▼，▲４▼を選択して設定可能である。受信装置１１１のユーザ等が入力操作で、ノイズキャンセラ１００による受信信号の伝達遮断時に時定数短縮抑制を行う条件を設定すれば、設定されている条件で時定数短縮抑制を行うか否かを判定することができる。
【００５３】
なお、以上で説明した受信装置１，５１，６１，７１，８１，９１，１１１は、ダブルスーパヘテロダイン方式で受信処理系を構成しているけれども、シングルスーパへテロダイン方式など、他の方式を使用する場合でも同様に本発明を適用することができる。
【００５４】
【発明の効果】
以上のように本発明によれば、ノイズキャンセラが受信信号処理系に入力される受信信号中からパルス状のノイズ成分を検出すると、受信信号の後段側への伝達を瞬時に遮断させるので、受信信号を検波して音響再生する出力中にはパルス性ノイズが含まれず、音質低下を避けることができる。ノイズキャンセラによる受信信号の伝達遮断時に、ＡＧＣシステムが受信信号の伝達遮断による受信信号の欠落を電界急変として検出しても、時定数の短縮は行われず、受信信号の伝達の再開時にＡＧＣループが変動して異音が発生するのを防止することができる。
【００５５】
また本発明によれば、受信周波数を変化させて受信信号を変更する動作が行われる場合に、受信信号変更動作を優先させ、受信条件が変動して受信信号の電界強度などが変動しても、ＡＧＣシステムで受信信号の出力変動が少なくなるように調整することができる。受信周波数の変化に伴って受信信号の電界強度が急変するときには、ＡＧＣ制御の時定数を短縮するので、変動に対する追従性を良好にして、音質の低下を避けることができる。
【００５６】
また本発明によれば、シーク動作を行う際には、ＡＧＣの時定数の切換が必要となるので、瞬断式のノイズキャンセラが動作しても、時定数の短縮を抑制しないようにすることができる。
【００５７】
また本発明によれば、無・弱電界では、ノイズキャンセラによる瞬断が生じても振幅変化が小さく、ＡＧＣシステムの時定数短縮の機能を抑制する必要はない。中・強電界では、ノイズキャンセラによる瞬断時の振幅変化が大きくなるので、時定数短縮の機能を抑制し、電界急変の誤検出による異音発生を避けることができる。
【００５８】
また本発明によれば、受信電界の強度をＳメータ電圧に基づいて判定し、ＡＧＣの時定数切換に関して、Ｓメータ電圧に従う適応制御を行うことができる。
【００５９】
また本発明によれば、ＡＧＣシステムは、中間周波数に周波数変換した受信信号を増幅する増幅器にＡＧＣ電圧を与えて増幅利得を制御するので、広い増幅利得の範囲で安定な制御を行うことができる、ＡＧＣ電圧に基づく受信電界の強度判定で、電界強度急変時の時定数短縮に関し、ＡＧＣ電圧に従う適応制御を行うことができる。
【００６０】
また本発明によれば、ノイズキャンセラが受信信号中からパルス状のノイズを検出するための増幅器に対するＡＧＣ機能の制御電圧を、受信電界判定手段は受信電界の強度として判定するので、受信信号として受信される信号に近い状態で受信電界強度を判定し、受信電界による適応制御を行うことができる。
【００６１】
また本発明によれば、受信電界判定手段で受信電界の強度を判定する基準を、受信装置のユーザ等の好みに合わせて設定することができる。
【００６２】
また本発明によれば、受信装置のユーザ等は、条件設定手段に、時定数短縮制御手段がノイズキャンセラによる受信信号の伝達遮断時に時定数短縮抑制を行う条件を設定して、設定されている条件で時定数短縮抑制を行わせることができる。
【図面の簡単な説明】
【図１】本発明の実施の第１形態である受信装置１の概略的な電気的構成を示すブロック図である。
【図２】本発明の実施の第２形態である受信装置５１の概略的な電気的構成を示すブロック図である。
【図３】本発明の実施の第３形態である受信装置６１の概略的な電気的構成を示すブロック図である。
【図４】図３の受信装置６１で、受信電界強度とＳメータ電圧との関係を示すグラフである。
【図５】本発明の実施の第４形態である受信装置７１の概略的な電気的構成を示すブロック図である。
【図６】図５の受信装置７１で、受信電界強度とＡＧＣ電圧との関係を示すグラフである。
【図７】本発明の実施の第５形態である受信装置８１の概略的な電気的構成を示すブロック図である。
【図８】本発明の実施の第６形態である受信装置９１の概略的な電気的構成を示すブロック図である。
【図９】図８の受信装置９１で、受信電界強度とノイズキャンセラ１００のＡＧＣ電圧との関係を示すグラフである。
【図１０】本発明の実施の第７形態である受信装置１１１の概略的な電気的構成を示すブロック図である。
【図１１】従来からの瞬断式ノイズキャンセラの動作時に、受信装置の主要部分の動作を示す波形図である。
【図１２】従来からの瞬断式ノイズキャンセラの動作時に、電界急変検出時に時定数を短縮する機能を備えるＡＧＣシステムが受ける動作を示す波形図である。
【符号の説明】
１，５１，６１，７１，８１，９１，１１１  受信装置
２  アンテナ
４  第１ＭＩＸ
９  第２ＭＩＸ
１０  ＶＣＡ
１３  第２ＩＦ増幅器
１４  ＤＥＴ
１６  局部発振器
２０  ＡＧＣシステム
２１  電界急変検出回路
２２  機能ＯＮ／ＯＦＦスイッチ
２３，２４，３０，３１  抵抗
２５，３２  コンデンサ
２６，２９，４４，５３，１１５，１１６，１１７  スイッチ
２７  ＡＧＣ電圧アンプ
２８  ＡＧＣ電流アンプ
４０，１００  ノイズキャンセラ
４３  ＯＳＭ
４５，５５  制御ライン
５２  ＣＰＵ
６２  ＦＳＤ
６３，７３，８３，１０３，１１３  比較器
６４，７４，８４，１０４，１１４  基準電圧源
１０１  検出系ＡＭＰ
１０２  ＡＧＣ回路
【図１】
2004363945.tif 000003
【図２】
2004363945.tif 000004
【図３】
2004363945.tif 000005
【図４】
2004363945.tif 000006
【図５】
2004363945.tif 000007
【図６】
2004363945.tif 000008
【図７】
2004363945.tif 000009
【図８】
2004363945.tif 000010
【図９】
2004363945.tif 000011
【図１０】
2004363945.tif 000012
【図１１】
2004363945.tif 000013
【図１２】
2004363945.tif 000014